(57)【要約】【課題】  警戒色としての赤色を見落とすことがなく、ビデオ回路やグラフィック回路に調整を加える必要の無い表示装置を提供する。【解決手段】  外光の照度を検出して照度信号を出力する外光照度計と、ビデオ信号及びグラフィック回路からの信号を入力し、それらの信号の切換えや重畳を行う表示情報源と、この表示信号源の出力と前記外光照度計の出力を入力し該外光照度計の出力信号の大きさに応じて、赤色を強調させる赤色強調手段と、該赤色強調手段からの出力信号を入力し表示デバイス用の色変換を行う表示デバイス色変換手段と、前記外光照度計の出力を入力し表示デバイスの輝度調整を行う輝度調整手段を備えている。【選択図】                    図１
2005091654.tif 000002
【特許請求の範囲】
【請求項１】
光源と外光を利用した非発光型の表示パネルを備えた表示装置において、前記外光の照度を検出して照度信号を出力する外光照度計と、ビデオ信号及びグラフィック回路からの信号を入力しそれらの信号の切換えや重畳を行う表示情報源と、この表示情報源の出力と前記外光照度計の出力を入力し該外光照度計の出力信号の大きさに応じて、赤色を強調させる赤色強調手段と、該赤色強調手段からの出力信号を入力し表示デバイス用の色変換を行う表示デバイス色変換手段と、前記外光照度計の出力を入力し前記表示デバイスの輝度調整を行う輝度調整手段を備えたことを特徴とする表示装置。
【請求項２】
前記外光照度が大きくなり前記赤色強調手段で赤色を強調させるに際しては緑色と青色の信号を低下させることにより赤色を強調させるようにしたことを特徴とする請求項１記載の表示装置。
【請求項３】
表示パネルは透過型もしくは反射型であることを特徴とする請求項１または２記載の表示装置。
【発明の詳細な説明】
【技術分野】
【０００１】
本発明は、例えば航空機や車両に搭載される液晶表示パネルを用いた表示装置に関し、詳しくは、外光による赤色の視感度の低下を防止した表示装置に関するものである。
【背景技術】
【０００２】
従来、液晶表示素子のような外部から入射する光を利用し、その光の透過を制御して表示する非発光型表示素子を備えた表示装置としては、透過光を利用した透過型表示装置や反射光を利用した反射型表示装置が知られている。
【０００３】
透過型表示装置は、表示素子の背後にバックライトを配置し、このバックライトからの照明光を利用して表示するものであり、バックライトから照明光を表示素子に向けて出射し、その光を表示素子の前方に出射させて表示する。
【０００４】
反射型表示装置は、表示装置の使用環境の光である外光を利用して表示するものであり、表示装置の前方から入射する外光を表示装置の背後に配置した反射板により表示装置に向けて反射し、その光を表示装置の前方に出射させて表示するようにしたものである。
【０００５】
また、バックライトからの光と外光との双方を同時に利用して表示を行う透過型と反射型を兼用する非発光型表示装置もあり、この表示装置の場合は使用環境に応じて変化する外光の照度に応じてバックライトの発光輝度を制御して反射型としての表示性能と透過型としての表示性能を補完している。
【０００６】
従来のバックライトの光と外光との双方を利用する表示装置では外光照度を検出する照度検出センサを備え、この照度検出センサの検出結果に基づいて輝度調整を行っている。
【０００７】
このような、従来の表示装置に関連する先行技術文献としては次のようなものがある。
【特許文献１】特開平０６−３３９０８７号公報
【特許文献２】特開平０７−３１２２９２号公報
【特許文献３】特開２０００−１１１８６９号公報
【０００８】
このうち、特開平０６−３３９０８７号公報に記載された技術は、外光照度が高くなっても画面上に表示される画像のキャラクタ部分の認識を容易にした受像管の輝度調整装置に関し、照度を検出する手段と、画像表示器の受像管の画面上に表示される画像のキャラクタ部分とそのフチドリ部分の一方または双方の輝度を照度検出手段の出力に基づいて調整するようにしたものである。
【０００９】
また、特開平０７−３１２２９２号公報に記載された技術は、低分解能のＡ／Ｄコンバータを使用可能として製造コストの削減を図った調光装置に関するもので、外光を検出する光センサと、この光センサからの出力を入力する第１増幅器と、この第１増幅器の出力を増幅する第２増幅器を有し、第１増幅器から出力される信号の値（Ｖ１）とその信号の値に対応した輝度制御データ、及び前記第２増幅器から出力される信号の値（Ｖ２）とその信号の値に対応した輝度制御データを予め記憶した記憶手段と、前述の信号（Ｖ１）または（Ｖ２）の値が所定値以下の場合、第２増幅器から出力される信号（Ｖ２）の値に基づいて輝度制御データを決定し、その信号（Ｖ１）または（Ｖ２）の値が所定値を超える場合、第１増幅器から出力される信号（Ｖ１）の値に基づいて輝度制御データを決定し、その輝度制御データに応じてランプの調光を制御するようにしたものである。
【００１０】
また、特開２０００−１１１８６９号公報に記載された技術は、ＣＰＵに対するバックライト制御の割り込み処理負担を軽減しながら環境照度の変化に追従してバックライトの発光輝度を制御するようにしたもので、外光の照度を検出して照度検出信号を出力する照度検出手段と、この照度検出手段から出力される照度検出信号の変化状態に応じて光源の発光輝度を制御するタイミングを設定する制御タイミング設定手段により設定される制御タイミングで照度検出手段から出力される照度検出信号に基づいて光源の発光輝度を制御する制御手段を備えたものである。
【００１１】
図２は本発明の従来例を示すブロック構成図である。図において、１はビデオ信号を出力するビデオ回路、２はグラフィック信号を出力するグラフィック回路であり、これらは表示器内または表示器外に配置される。３はビデオ信号とグラフィック信号を入力し切換え、重畳を行う表示情報源、４は表示デバイス用に色変換を行う色変換手段、５は表示デバイス（ＬＣＤ）であり表示器内に配置される。６は外光を計測する外光照度計、７は照度計の出力信号を入力する輝度調整手段である。
【００１２】
上述の構成において、ビデオ回路１、グラフイック回路２により生成された表示情報は表示情報切換え重畳回路３にて一つの表示情報に変換される。
変換された情報は表示デバイス用色変換手段４により表示デバイスに適した色変換（ＲＧＢ、ＹＵＶフォーマット）が行われた後、表示デバイス５で表示される。
表示画面の輝度調整は外光照度計で計測した外光照度に応じて輝度調整手段７で自動または手動にて調整される。
【発明の開示】
【発明が解決しようとする課題】
【００１３】
ところで、上記従来例においては外光照度が低下すると、通常は表示画面の輝度を落として使用される。その場合、全ての色の輝度が等しい割合で低下する。
人間の視感度は輝度が高い場合と低い場合で異なり、輝度が低い場合、赤色を認知出来なくなる。即ち、外光照度が低下すると赤色の認知が困難となる。
【００１４】
しかしながら、赤色は警報等に用いられる重要な色であり、認知の低下は許されない。
従来においては、ビデオ回路１、グラフィック回路２にて外光照度低下時には手動または自動にて赤色を強調(相対的に緑、青色を低下)した色変換を行うかまたは、グラフィックソフトウエアを変更して、赤色部分を大きくした図形で表示を行う必要があった。しかしビデオ回路１、グラフィック回路２は表示器の外側にある場合もあり、実際には行われていない。
【００１５】
本発明は、表示デバイス用色変換手段内に、外光照度低下時手動または自動にて赤色を強調(相対的に緑、青色を低下)した色変換手段を設け、外光照度低下時に表示画面輝度を低下させても、表示デバイスに適した赤色強調を行え、赤色の認知の低下が発生しない表示装置を提供することにある。
【課題を解決するための手段】
【００１６】
このような課題を達成するために、本発明のうち請求項１記載の発明は、
光源と外光を利用した非発光型の表示パネルを備えた表示装置において、前記外光の照度を検出して照度信号を出力する外光照度計と、ビデオ信号及びグラフィック回路からの信号を入力しそれらの信号の切換えや重畳を行う表示情報源と、この表示情報源の出力と前記外光照度計の出力を入力し該外光照度計の出力信号の大きさに応じて、赤色を強調させる赤色強調手段と、該赤色強調手段からの出力信号を入力し表示デバイス用の色変換を行う表示デバイス色変換手段と、前記外光照度計の出力を入力し前記表示デバイスの輝度調整を行う輝度調整手段を備えている。そのため、警戒色としての赤色を見落とすことがない。
【００１７】
請求項２記載の発明は、請求項１記載の表示装置において、前記外光照度が大きくなり前記赤色強調手段で赤色を強調させるに際しては緑色と青色の信号を低下させることにより赤色を強調させるようにしている。
【００１８】
請求項３においては請求項１または２記載の表示装置において、表示パネルは透過型もしくは反射型である。
【発明の効果】
【００１９】
以上説明したことから明らかなように、本発明によれば次のような効果がある。
請求項１〜３の発明によれば、外光の照度を検出して照度信号を出力する外光照度計と、ビデオ信号及びグラフィック回路からの信号を入力し、それらの信号の切換えや重畳を行う表示情報源と、この表示信号源の出力と前記外光照度計の出力を入力し該外光照度計の出力信号の大きさに応じて、赤色を強調させる赤色強調手段と、該赤色強調手段からの出力信号を入力し表示デバイス用の色変換を行う表示デバイス色変換手段と、前記外光照度計の出力を入力し表示デバイスの輝度調整を行う輝度調整手段を備えているので、警戒色としての赤色を見落とすことがない。また、ビデオ回路やグラフィック回路に調整を加える必要がないので構成を簡単にすることができる。
【発明を実施するための最良の形態】
【００２０】
以下本発明を図面を用いて詳細に説明する。
図１は本発明の実施形態の一例を示す構成図である。図において、１はビデオ信号を出力するビデオ回路、２はグラフィック信号を出力するグラフィック回路であり、これらは表示内または表示器外に配置される。３はビデオ信号とグラフィック信号を入力し切換え、重畳を行う表示情報源、１０は外光照度計の出力に応じて緑や青の色を低下させる赤色強調変換手段である。４は表示デバイス用に色変換を行う色変換手段、５は表示デバイス（ＬＣＤ）であり表示器内に配置される。６は外光を計測する外光照度計、７は照度計の出力信号を入力する輝度調整手段である。
【００２１】
上述の構成において、ビデオ回路１、グラフイック回路２により生成された表示情報は表示情報切換え重畳回路３にて一つの表示情報に変換される。
変換された情報は表示デバイス用色変換手段４により表示デバイスに適した色変換（ＲＧＢ、ＹＵＶフォーマット）が行われた後、表示デバイス５で表示される。
【００２２】
本発明では外光照度計の出力が赤色強調変換手段１０に入力され、その出力に応じて緑や青の色を低下させる。このことにより相対的に赤色が強調される。その信号は従来と同様表示デバイス用に色変換を行う色変換手段４に出力され、表示デバイス画面で表示される。なお、表示デバイスの画面は外光照度計６で計測した外光照度に応じて輝度調整手段で自動または手動にて調整される。
【００２３】
上述の構成によれば、外光照度計６の出力が赤色強調変換手段に入力されて、その出力に応じて緑や青の色を低下させる。従って、外光照度低下によって後段の輝度調整手段を介して表示画面輝度が低下しても、表示デバイスに適した赤色強調を行え、赤色の認知の低下が発生しない。
【図面の簡単な説明】
【００２４】
【図１】本発明に係る表示装置の一実施例を示すブロック構成図である。
【図２】従来の表示装置を示すブロック構造図である。
【符号の説明】
【００２５】
１  ビデオ回路
２  グラフィック回路
３  表示情報源
４  表示デバイス用色変換手段
５  表示デバイス
６  外光照度計
７  輝度調整手段
１０  赤色強調変換手段
【図１】
2005091654.tif 000003
【図２】
2005091654.tif 000004